(57)【特許請求の範囲】
【請求項１】
親指袋（１１）と、人差し指袋（１２）と、手掌部（１４）と、手甲部（１５）とを備えた野球用手袋であって、
前記親指袋（１１）と前記人差し指袋（１２）間の指股部（１３）上に保護部材（２）を装着し、
前記保護部材（２）は、前記指股部（１３）から前記手掌部（１４）側に延在し前記指股部（１３）に沿って湾曲する湾曲部（２１）と、前記指股部（１３）から前記手甲部（１５）側に延在する平板状部（２２）とを含み、略Ｌ字状断面を有し、
前記指股部（１３）に沿う方向における前記湾曲部（２１）の中央部（２５）は、野球用バット（７）のグリップの外径とほぼ同じ曲率半径を有し、
前記湾曲部（２１）における前記指股部（１３）に沿う方向の端部（２６）に近づくにしたがって前記親指袋（１１）と前記人差し指袋（１２）との距離が大きくなるように、前記湾曲部（２１）の曲率半径を前記湾曲部（２１）の前記端部（２６）に近づくにしたがって大きくした、野球用手袋。
【請求項２】
前記保護部材（２）の肉厚は、前記湾曲部（２１）の中央部（２５）で、かつ前記Ｌ字状断面の角部（２７）相当位置で最も大きく、周縁部（２８）に近づくに従って薄くなる、請求項１に記載の野球用手袋。
【請求項３】
前記保護部材（２）は、前記親指袋（１１）の付根上から前記人差し指袋（１２）の付根上に延在する、請求項１に記載の野球用手袋。
【請求項４】
前記保護部材（２）は、前記指股部（１３）上に角部（２７）を有し、
前記角部（２７）は、前記指股部（１３）に沿って湾曲し、
前記角部（２７）の厚みは、前記保護部材（２）の周縁部（２８）の厚みよりも大きい、請求項１に記載の野球用手袋。
【請求項５】
前記保護部材（２）の表面を覆うように当て皮が縫着されている、請求項１に記載の野球用手袋。
【請求項６】
前記保護部材（２）と手袋本体との間に、衝撃緩衝部材（４）を挟み込んだ、請求項１に記載の野球用手袋。
【請求項７】
前記野球用手袋（１）は、人工皮革あるいは天然皮革を主体とし、伸縮性の生地を用いて作製され、
前記保護部材（２）は、前記野球用手袋（１）に縫着又は／及び貼着される、請求項１に記載の野球用手袋。
【発明の詳細な説明】
【０００１】
【発明の属する技術分野】
本発明は、野球、特にバッティングをするときに使用する野球用手袋に関し、より特定的には、バットをしっかりと握ることができるようにすると共に、バッティング時の衝撃から手を保護することができる野球用手袋に関する。
【０００２】
【従来の技術】
近年、野球をするに際しては、バットを握るときも、野球用グラブを使用するときも、素手ではなく、野球用の手袋を使用することが多くなった。
【０００３】
これは、バットを握ったときに手とバットとの滑りを止めると共に、バットと手とのフィット感を良くしようとする為である。同様に、野球用グラブを使用するときにも、野球用グラブと手とのフィット感を良くする為に、野球用手袋が使用される。
【０００４】
このような野球用手袋には、バットを握りやすいように手甲部の所要部に伸縮性の生地を用いて、手甲部が伸びやすいようにしたものがある。
【０００５】
また、手掌部に当て皮をして、手袋本体の補強を図ると共に、バットをしっかりと握ることができ、かつ、バッティング時の衝撃を緩和しようとする工夫もみられる。
【０００６】
【発明が解決しようとする課題】
しかし、従来の野球用手袋では、未だ手袋とバットとのフィット感及びバッティング時の衝撃からの保護という点で十分ではなかった。
【０００７】
例えば、米国特許第５６０４９３４号には、バットのグリップ部を握った時に、野球用手袋とグリップ部との間に生じる隙間を埋めるために、野球用手袋の手掌部に隙間部材を貼り付ける発明が開示されている。
【０００８】
しかし、かかる発明は、野球用手袋の手掌部に隙間部材を貼り付けただけのものであって、隙間部材の形状、貼り付ける場所等の考慮がされておらず、このままでは未だフィット感や衝撃吸収性能が十分ではなかった。
【０００９】
また、実開昭６３−１７６４７７号には、親指袋と人差し指袋との間に異素材の係合体を貼着、縫着等したゴルフ用グリップ矯正手袋が開示されている。かかるゴルフ手袋は、スイングをする際には親指と人差し指とが密着状態であることが好ましいという思想に基づいて考案されたものであり、親指と人差し指とが離れるのを防ぐために、親指袋と人差し指袋との間にＶ字状の係合体を設けたものである。
【００１０】
従って、このような構造では、野球用バットを握ることができず、また、バッティング時の衝撃緩衝作用も期待できない。
【００１１】
また、野球用手袋ではないが、バッティング時の衝撃を緩和して手を保護するものとして、米国特許第４４６１０４３号、同第５０６９４５４号のような発明もされている。
【００１２】
米国特許第４４６１０４３号は、発泡プラスチック製のクッション材からなる補助部材であり、バッティング時に親指を挿入して使用するものである。すなわち、バッティング時には、本補助部材を親指と人差し指との間の指股部に位置させて、バットのグリップ部をこの補助部材で受け止め、バッティング時の衝撃の緩和をさせようとするものである。
【００１３】
かかる発明では、補助部材が親指を中心に回転するため、バットを握り替えるごとに補助部材を親指と人差し指との間の指股部に配置し直さなければならないという欠点があった。また、補助部材は小さく、試合中に落としてなくなってしまうこともしばしばであった。
【００１４】
米国特許第５０６９４５４号に記載の発明は、同第４４６１０４３号よりも、手とグリップ部とのフィッティング性を上げた発明であるが、米国特許第４４６１０４３号と同じく、バットを握り替えるごとに補助部材を親指と人差し指との間の指股部に配置し直さなければならず、試合中に落としてなくなってしまうおそれが大きい。
【００１５】
そこで、本発明は、従来あった発明や考案よりも、野球用バットを握った時にできる野球用手袋とグリップとの隙間を埋めることができて、バットを握りやすくすると共にフィット性を向上させようとするものである。
【００１６】
さらには、バッティング時にボールがバットに当たって生じる衝撃を緩和して、手を保護することができる野球用手袋を提供しようとするものである。
【００１７】
【課題を解決するための手段】
本発明に係る野球用手袋は、親指袋（１１）と、人差し指袋（１２）と、手掌部（１４）と、手甲部（１５）とを備える。そして、親指袋（１１）と人差し指袋（１２）間の指股部（１３）上に保護部材（２）を装着する。保護部材（２）は、指股部（１３）から手掌部（１４）側に延在し指股部（１３）に沿って湾曲する湾曲部（２１）と、指股部（１３）から手甲部（１５）側に延在する平板状部（２２）とを含み、略Ｌ字状断面を有する。
【００１８】
本発明では、親指袋（１１）と人差し指袋（１２）間の指股部（１３）上に保護部材（２）装着し、さらに、その保護部材（２）の形状にも上述のような工夫を凝らしたので、本発明の野球用手袋（１）を使用して、野球用バット（７）のグリップを握った場合、野球用手袋（１）とグリップとはぴったりフィットすることになる。
【００１９】
また、手を野球用手袋（１）に挿入する際や、この野球用手袋（１）を使用してグリップを握った場合に、保護部材（２）に対して感じる違和感が少なくなる。
【００２０】
しかも、保護部材（２）の厚み及び用いる素材を適切に選択することによって、打撃時に手に加わる衝撃を緩和することができる。
【００２１】
保護部材（２）の肉厚は、湾曲部（２１）の中央部（２５）で、かつＬ字状断面の角部（２７）相当位置で最も大きく、周縁部（２８）に近づくに従って薄くなることが好ましい。
【００２２】
このように湾曲部（２１）の中央部（２５）における厚みを大きくすることにより、上述のフィット感を向上させることができる。
【００２３】
また、保護部材（２）は、親指袋（１１）の付根上から人差し指袋（１２）の付根上に延在する。
【００２４】
それにより、野球用手袋（１）と野球用バット（７）のグリップとのフィット感をさらに向上させることができる。
【００２５】
指股部（１３）に沿う方向における湾曲部（２１）の中央部（２５）は、好ましくは、野球用バット（７）のグリップの外周に沿う形状を有する。
【００２６】
それにより、保護部材（２）の中央部に野球用バット（７）のグリップを受け入れることができる。このことも、上記のフィット感の向上に効果的に寄与し得る。
【００２７】
指股部（１３）に沿う方向における湾曲部（２１）の中央部（２５）は、野球用バット（７）のグリップの外径とほぼ同じ曲率半径を有し、湾曲部（２１）の曲率半径は、湾曲部（２１）における指股部（１３）に沿う方向の端部（２６）に近づくにしたがって大きくなる。
【００２８】
このように湾曲部（２１）を、親指袋（１１）および人差し指袋（１２）の先端に向かう方向に広がる形状とすることにより、野球用バット（７）のグリップを受け入れやすくなるばかりでなく、野球用手袋（１）に手を挿入し易くなる。また、端部（２６）の厚みを小さくすることにより、小さな力で野球用バット（７）のグリップを握ることができる。
【００２９】
また、保護部材（２）は、指股部（１３）上に角部（２７）を有し、該角部（２７）は、指股部（１３）に沿って湾曲し、角部（２７）の厚みは、保護部材（２）の周縁部（２８）の厚みよりも大きい。
【００３０】
このように保護部材（２）の角部（２７）の厚みを大きくすることにより、手に加わる打撃時の衝撃を緩和することができ、手を保護することができる。なお、上記の角部（２７）は、屈曲している部分のことを意味し、たとえば図４等に示すように、その表面が丸められていてもよい。
【００３１】
保護部材（２）の表面を覆うように当て皮が縫着されてもよい。
それにより、保護部材（２）が野球用手袋（１）から外れるのを抑制することができる。
【００３２】
また、保護部材（２）と手袋本体との間に、衝撃緩衝部材（４）を挟み込んでもよい。
【００３３】
それにより、手に加わる打撃時の衝撃をさらに緩和することができる。
野球用手袋（１）は、人工皮革あるいは天然皮革を主体とし、伸縮性の生地を用いて作製される。保護部材（２）は、該野球用手袋（１）に縫着又は／及び貼着される。
【００３４】
このように本発明では、保護部材（２）を野球用手袋（１）に縫着又は／及び貼着しているので、米国特許第４４６１０４３号、同第５０６９４５４号のように、補助部材を試合途中で紛失するというようなことがなくなる。
【００３５】
また、打撃の際、野球用バット（７）のグリップを握り替えるごとに、補助部材を親指と人差し指との間の指股部に配置し直さなければならないという手間がかからない。なお、本発明の野球用手袋（１）は、打撃時だけでなく、守備時に用いても、手の動きを阻害することがない。
【００３６】
すなわち、この野球用手袋（１）をしたまま手を野球用グラブに挿入しても、保護部材（２）の形状は、人の親指から人差し指に至る指股部の形状に合致しているので、スムーズに手を野球用グラブに挿入することができる。また、グラブを閉じる際にも、保護部材（２）は、野球用バット（７）のグリップを握るのと同じように曲がるので、突張ってグラブを閉じることを妨げるようなことはない。
【００３７】
【発明の実施の形態】
図１は、本発明に係る野球用手袋（右手用）１の親指袋１１と人差し指袋１２間の指股部１３を斜め上方から見た図、図２は、手掌部１４側からみた図、図３は、親指袋１１側面から人差し指袋１２側面に至る方向からみた図である。また、図４は、野球用手袋１に縫着又は／及び貼着される保護部材２の斜視図であり、図５は、図４の１００−１００線端面図である。
【００３８】
本発明の野球用手袋１は、従来の野球用手袋と同じく、人工皮革あるいは天然皮革を主体とし、必要に応じて伸縮性の生地を用いて製造されている。
【００３９】
図１ないし図３に示すように、親指袋１１と人差し指袋１２間の指股部１３上に、保護部材２を縫着又は／及び貼着している。
【００４０】
保護部材２は、図４及び図５に示すように、湾曲部２１と平板状部２２とを有する。湾曲部２１は図２に示すように指股部１３から手掌部１４上に延在し、平板状部２２は図３に示すように指股部１３から手甲部１５上に延在する。図４及び図５に示す態様では、平板状部２２は湾曲部２１と略直交する方向に延び、それにより保護部材２は略Ｌ字状の断面を有することとなる。なお、平板状部２２と湾曲部２１とが交わる角度は適宜変更可能である。
【００４１】
湾曲部２１は、図２に示すように、野球用手袋１の手掌部１４に縫着又は／及び貼着されている。
【００４２】
この部分は、図８に示すように野球用バット７を握った時に、バット７のグリップが直接に当たるところである。
【００４３】
湾曲部２１は、図３に示すように、親指袋１１の側面から人差し指袋１２の側面に至る方向からみた場合、指股部１３に沿って孤状をなしている。つまり、湾曲部２１は、親指袋１１の付根から人差し指袋１２の付根に向かう方向（指股部１３に沿う方向）に、所定の曲率で湾曲している。
【００４４】
さらにいえば、指股部１３に沿う方向における湾曲部２１の中央部２５は、野球用バット７のグリップの外周に沿う形状を有する。より詳しくは、該中央部２５は、野球用バット７のグリップの外径とほぼ同じ曲率半径を有しており、中央部２５から図４に示す端部２６に向かうにつれて、湾曲部２１の曲率半径は大きくなる。
【００４５】
このように構成しているので、野球用バット７のグリップは、保護部材２の湾曲部２１の中央部２５にすっぽりと収まる。
【００４６】
従って、本発明の野球用手袋１を装着して野球用バット７のグリップを軽く握るだけで、野球用手袋１と野球用バット７との間の隙間は埋まり、フィット性が向上するものである。
【００４７】
また、上述のように湾曲部２１の曲率半径は端部２６に近づくにしたがって大きくなるので、端部２６に近づくにしたがって親指袋１１と人差し指袋１２との距離が大きくなる。そのため、野球用バット７のグリップを受け入れるのに、端部２６が邪魔になることもない。
【００４８】
かかる形状は、野球用手袋１に手を挿入する際にも好ましい形状である。
すなわち、保護部材２の形状が人の親指から人差し指に至る指股部の形状に合致することになるので、スムーズに手を野球用手袋１に挿入することができることになる。
【００４９】
さらに、湾曲部２１は、図５に示すように、その断面方向（指股部１３から手掌部１４の中央部に向かう方向）においてもやや弧状となっている。
【００５０】
これは、湾曲部２１が手の手掌面に沿うようにするためであり、このような形状にしておくと、さらに野球用手袋１と野球用バット７のグリップとのフィット感が向上する。
【００５１】
保護部材２の肉厚は、湾曲部２１の中央部２５で、かつＬ字状断面の角部（屈曲部）２７相当位置が最も厚く、周縁部２８に近づくに従って薄くなる。
【００５２】
このような形状にすることで、野球用バット７のグリップを握った時に、最も効率よく野球用手袋１とグリップとの隙間を埋めることができる。
【００５３】
さらに、保護部材２は、打撃時の衝撃が手に伝わることを効率よく緩和する役割を果たすものである。特に、図５に示すように角部２７の厚みを大きくすることにより、打撃時の衝撃を効率よく緩和することができる。また、角部２７が指股部１３に沿って弧状に延在することにより、多方向からの衝撃に対応することができる。
【００５４】
保護部材２の平板状部２２は、親指袋１１の側面上および人指し指袋１２の側面上に延在し、略平面状の表面を有する。図４に示す実施例では、該表面上に選択的にリブ２９が形成される。
【００５５】
平板状部２２は、湾曲部２１とともに打撃時の衝撃を受け止める機能を有する。すなわち、平板状部２２は、打撃圧の加わる方向に延在するので、ちょうど打撃圧に対する抗力を発揮することができ、打撃圧を受け止める役目を果たすものである。
【００５６】
また、平板状部２２の表面上にリブ２９を設けることにより、さらに大きな抗力を発揮させることができる。
【００５７】
さらに、平板状部２２は親指袋１１の付根部の側面上および人指し指袋１２の付根部の側面上に延在するので、親指や人指し指の付根部を保護することもできる。
【００５８】
なお、打撃圧の加わる方向に延在するものであれば、平板状部２２の形状を任意に変更可能である。また、リブ２９の形状や数についても適宜変更可能である。
【００５９】
保護部材２は、ポリエチレン、熱可塑ウレタンエラストマー、ポリエステルエラストマー、ポリアミドエラストマー、ＴＰＥエラストマー等を用いて成形することができる。
【００６０】
その硬度（ショア硬さ）は、３０〜８０Ａが適しており、中でも４０〜５０Ａが理想的である。
【００６１】
保護部材２の周縁部２８を薄くしておくことによって、この部分を野球用手袋１と一緒に縫着するに際し、ミシンが通りやすくなる。それにより、縫製を容易に行なえる。
【００６２】
また、保護部材２の周縁部２８を薄くしておくことは、野球用バット７のグリップを少ない力で把持することを可能としているのである。
【００６３】
図６に示すように、保護部材２の表面を当て皮３で覆うことが好ましい。この当て皮３は野球用手袋１に縫着される。
【００６４】
野球用手袋１と保護部材２との縫着部は、打撃の繰り返しによって、人工皮革あるいは天然皮革が繰り返しの圧力に負けて破れてくるということもあり得る。
【００６５】
しかし、保護部材２を当て皮３で覆っておけば、打撃の繰り返しによって、人工皮革あるいは天然皮革が負けて破れてくるという現象を抑えることができる。
【００６６】
図７に示すように、保護部材２と野球用手袋１本体との間に、衝撃緩衝部材４を挟み込むこともできる。このようにすれば、さらに打撃時の衝撃を緩和することができる。
【００６７】
衝撃緩衝部材４としては、ラバースポンジ、ＥＶＡスポンジ、ポリエチレンフォーム、ポリウレタンフォーム、アクリルフォーム、ポリウレタンフォームあるいはアクリルフォームにアスファルトあるいはシリコンバウンシングパテあるいはポリブタジエンを含浸させた部材、シリコンバウンシングパテ等を使用することができる。
【００６８】
その他、野球用手袋１の所望位置に伸縮性の素材５を用いたり、手口部に緊締ベルト６等を設けることは、従来通り、任意に実施することができるものである。
【００６９】
次に、本発明に係る野球用手袋１から得られる効果を確認すべく本願の発明者が行なった比較実験結果を記す。
【００７０】
ニッタ株式会社のグローブスキャンシステムを利用し、感圧センサを被験者の手に直接貼り、被験者にティ打撃のゴムを目指して野球用バット７のスイングを行なわせ、手への衝撃圧を測定した。そして、従来の野球用手袋を使用した場合（従来例１）と、従来の野球用手袋とともに米国特許第４４６１０４３号に記載のパッドを装着した場合（従来例２）と、本発明に係る野球用手袋１を使用した場合の３種類の場合について各々衝撃圧を測定した。なお、被験者は右打者であり、右手にセンサを貼り付けた。
【００７１】
上記の各実験結果を図９ないし図１１に示す。図９および図１０に示されるように、従来の野球用手袋とともにパッドを装着することにより、親指の根元部分（ＷＥＢ部分）の圧力が大きくなっていることがわかる。これは、パッドを装着することにより、ＷＥＢ部分が野球用バット７と密着し、野球用バット７に手の力を伝えやすくなることを意味している。
【００７２】
それに対し、図１１に示すように、本発明に係る野球用手袋１を装着することにより、上記のＷＥＢ部分のみならず、親指および人指し指の側面の圧力も大きくなっていることがわかる。このことから、本発明に係る野球用手袋１を装着することにより、親指から人指し指にかけて手と野球用バット７を、野球用手袋１を介して密着させることができるものと推察される。したがって、本発明に係る野球用手袋１を使用することにより、野球用バット７を握った際のフィット感が向上し、手の力を確実に野球用バット７に伝えることができる。
【００７３】
以上のように本発明の実施の形態について説明を行なったが、今回開示した実施の形態はすべての点で例示であって制限的なものではない。本発明の範囲は、特許請求の範囲によって示され、特許請求の範囲と均等の意味および範囲内でのすべての変更が含まれる。
【図面の簡単な説明】
【図１】  本発明の野球用手袋の一実施例の斜視図である。
【図２】  図１に示す野球用手袋を、手掌部側からみた図である。
【図３】  図１に示す野球用手袋を、親指袋側面から人差し指袋側面に至る方向からみた図である。
【図４】  保護部材の斜視図である。
【図５】  図４の１００−１００線端面図である。
【図６】  図５と同じ位置で切った、本発明の他の実施例の端面図である。
【図７】  図５と同じ位置で切った、本発明のさらに他の実施例の端面図である。
【図８】  本発明野球用手袋を使用して、野球用バットのグリップ部を握ったところを示す斜視図である。
【図９】  従来の野球用手袋を装着した場合の実験結果である。
【図１０】  従来の野球用手袋およびパッドを装着した場合の実験結果である。
【図１１】  本発明の野球用手袋を装着した場合の実験結果である。
【符号の説明】
１  野球用手袋、２  保護部材、１１  親指袋、１２  人差し指袋、１３  指股部、１４  手掌部、１５  手甲部、２１  湾曲部、２２  平板状部。
【図１】
0003990911.tif 000002
【図２】
0003990911.tif 000003
【図３】
0003990911.tif 000004
【図４】
0003990911.tif 000005
【図５】
0003990911.tif 000006
【図６】
0003990911.tif 000007
【図７】
0003990911.tif 000008
【図８】
0003990911.tif 000009
【図９】
0003990911.tif 000010
【図１０】
0003990911.tif 000011
【図１１】
0003990911.tif 000012